(57)【特許請求の範囲】
【請求項１】
記録カードを搬送する搬送経路と、
前記搬送経路に配置され、記録カードの少なくとも片面と接触して塵埃を除去するコンタクトローラと、
前記コンタクトローラに付着した塵埃を除去するクリーニングローラと、
前記コンタクトローラと前記クリーニングローラを互いに接触した状態に保持する装置フレームと、
を備え、
前記コンタクトローラと前記クリーニングローラとは、それぞれ表面に粘着性を有するローラ体と、このローラ体と一体の回転軸で構成され、
前記装置フレームには、前記コンタクトローラと前記クリーニングローラを分離した状態で個別に回転軸方向に着脱可能な装着口が設けられ、
前記クリーニングローラには、
前記装着口に装着された状態で、前記クリーニングローラ表面を前記コンタクトローラ表面から離間する操作部材と、
前記コンタクトローラの前記装着口からの離間を阻止するカバー部材と、
が設けられ、
前記クリーニングローラと前記コンタクトローラとは、
前記装置フレームの装着口に、前記コンタクトローラ次いで前記クリーニングローラの順に装着可能であると共に、前記クリーニングローラ次いで前記コンタクトローラの順に離脱可能であることを特徴とする情報記録装置におけるクリーニング機構。
【請求項２】
前記装置フレームの装着口には、
前記クリーニングローラの回転軸とは異なる支軸でクリーニングローラを軸支する軸承部と、
前記クリーニングローラ表面を前記コンタクトローラ表面に接触させる圧接スプリングが設けられ、
前記操作部材は、前記軸承部を中心に前記圧接スプリングに抗して前記クリーニングローラを揺動させることによって前記コンタクトローラ表面から離間させることを特徴とする請求項１に記載の情報記録装置におけるクリーニング機構。
【請求項３】
前記操作部材と前記カバー部材とは、ロック姿勢と解除姿勢に位置移動可能な操作ハンドルで構成され、
この操作ハンドルは、ロック姿勢で前記コンタクトローラを前記装着口から離脱するのを阻止し、
解除姿勢で前記クリーニングローラ表面を前記コンタクトローラ表面から離間させることを特徴とする請求項１または２に記載の情報記録装置におけるクリーニング機構。
【請求項４】
前記装着口には、前記コンタクトローラの非装着時に前記クリーニングローラの装着を阻止する遮閉部材が設けられ、
前記遮閉部材は、前記装着口に前記クリーニングローラの装着を阻止する係止位置と、前記クリーニングローラの装着を許容する解除位置との間で移動可能なカム部材で構成され、
前記カム部材は、前記コンタクトローラを前記装着口に装着する動作で係止位置から解除位置に移動することを特徴とする請求項１に記載の情報記録装置におけるクリーニング機構。
【請求項５】
前記搬送経路を内蔵するハウジングと、
前記ハウジングに設けられ、前記搬送経路を開閉する開閉カバーと、
前記開閉カバーの閉止動作を禁止するインターロック部材と、
を備え、
前記インターロック部材は、前記操作部材が非装着状態のとき前記開閉カバーの閉止動作を禁止し、前記操作部材が装着状態のとき前記開閉カバーの閉止動作を許容することを特徴とする請求項１に記載の情報記録装置におけるクリーニング機構。
【請求項６】
前記コンタクトローラは、
記録媒体の表面と接触する第１ロールと、
記録媒体の裏面と接触する第２ロールと、
この第１ロールと第２ロールを一体に保持するホルダ部材と、
で構成され、
前記クリーニングローラは前記第１ロールと接触するように前記装着口に装着されていることを特徴とする請求項１に記載の情報記録装置におけるクリーニング機構。
【請求項７】
記録カードに電子情報と画像情報を記録する装置であって、
ハウジングと、
記録カードを収納するカード収容部と、
記録カードに電子情報を記録する情報記録部と、
記録カードに画像情報を形成する画像記録部と、
前記カード収容部から記録カードを記録部に向けて搬入するカード搬入経路と、
前記カード搬入経路から送られた記録カードを前記画像記録部に移送する記録部搬送経路と、
を備え、
前記カード搬入経路にはクリーニング機構が設けられ、
このクリーニング機構は、請求項１乃至６の何れかの項に記載の構成を備えていることを特徴とする情報記録装置。
【発明の詳細な説明】
【技術分野】
【０００１】
本発明は、プラスチックカード、厚紙カードなどの記録媒体に電子情報或いは画像情報を記録する情報記録装置に係わり、カード表面に付着した塵埃を記録処理する前に除去するクリーニング機構の改良に関する。
【背景技術】
【０００２】
一般に、この種の情報記録装置は、各種証明書用カード、決済用カードなどに使用されるカード類に情報記録する装置として広く知られている。カードはプラスチック、厚紙などで所定の規格サイズで作成され、このカード（ブランクカード）を装置のホッパに装填するか、或いはカードを収納したカセットを装置に装填するように構成している。
【０００３】
このようなカードに電子情報、或いは画像情報を記録する際に、カードに塵埃が付着していると、記録情報ミス、画像ミスを引き起こすことがある。そこで収容したカード表面の塵埃を除去して記録部に給送することが一般的に行われている。
【０００４】
例えば特許文献１には、カード表面に接するローラとカード裏面に接するローラを粘着性ローラで構成して通過するカードをクリーニングする機構が開示されている。同文献にはカードを挟む一対の粘着性ローラと、このローラの一方と接してローラ表面をクリーニングするクリーニングローラをユニットとして構成し、このクリーニングユニットを装置の搬送経路に着脱可能に装着する機構が開示されている。
【０００５】
また、特許文献２には、カートの搬送経路に粘着性ローラを配置し、このローラの表面に付着した塵埃をクリーニングローラで取り除く機構が開示されている。同文献には、搬送経路の粘着性ローラと接するクリーニングローラを印字用のリボンカセットに配置している。そして、リボンカセットの装着時には、装置内の粘着性ローラの軸方向にカセットのクリーニングローラを挿入している。
【０００６】
このためクリーニングローラは粘着性ローラと接触する位置と、これから離間した位置との間で移動可能にカセットに内蔵され、その接触位置と離間位置との間で位置移動する機構をカセットに設けてカセット装着動作に連動させている。具体的には、リボンカセットを装着するための開閉カバー（装置フロントカバー）を開蓋するとクリーニングローラは離間位置に、閉止すると接触位置に連動するように構成している。
【先行技術文献】
【特許文献】
【０００７】
【特許文献１】特開２００３−２６３５１号公報
【特許文献２】特開２００７−５２４５２５号公報
【発明の概要】
【発明が解決しようとする課題】
【０００８】
上述のように、記録カードを記録部に給送する前に、カード表面の塵埃を除去するクリーニング機構は広く知られている。そして、特許文献１には、カード表面に接触する粘着ローラと、このローラに付着した塵埃を除去するクリーニングローラをユニット化して装置に装着するクリーニング機構が提案されている。また、特許文献２には、装置内に設けた粘着性ローラの塵埃をリボンカセットのクリーニングローラで除去するクリーニング機構が提案されている。
【０００９】
このように、カードと接触する粘着性ローラと、ローラ表面に付着除去した塵埃をクリーニングローラで除去することは既に知られている。この場合、特許文献１で提案されているようにカードと接触する粘着性ローラとクリーニングローラをユニット化して装置に着脱する機構を採用すると、クリーニングユニットを装置から取り外してクリーニングローラを交換するときには、この交換時に粘着性ローラの表面を破損する問題を生ずる。
【００１０】
一方、特許文献２に提案されている機構を採用すると、装置内に準備されているカードと接触する粘着性ローラに不具合が生じたとき、例えば金属片が付着してクリーニングローラで除去できないときには、オペレータが装置内でローラ表面に付着した金属片を取り除かなければならない。これと同時に、インクリボンの交換時にクリーニングローラを同時に交換しなければならず、経済的なロスを伴うことになる。
【００１１】
上述のようにカード表面に付着した塵埃を除去する際に、カードと接触する粘着性ローラは不具合が発生した都度、これを交換あるいはメンテナンスする必要があり、クリーニングローラは、その破損程度に応じて定期的に交換する必要があり、インクリボンはその消費量に応じて交換する必要がある。
【００１２】
そこで本発明者は、インクリボンの交換と、クリーニングローラの交換と、カードと接触する粘着性ローラのメンテナンスを、それぞれ必要が生じたときに個別に装置内に着脱できるようにするとの知見に至った。
【００１３】
このとき粘着性ローラとクリーニングローラはそれぞれ表面が粘着性を有するため、両ローラを個別に装置内に着脱する際には両ローラを引き離さなければならない問題と、これらを個別に装置に着脱する場合に、ローラの一つが装着されていないとその状態で装置が再起動してしまう問題が新たに発生する。
【００１４】
本発明は、カード表面と接して塵埃を除去するコンタクトローラと、コンタクトローラ表面に付着した塵埃を取り除くクリーニングローラとを、それぞれの状態に応じて適時に装置に着脱交換あるいはメンテナンスすることが可能な情報記録装置の提供をその課題としている。
【課題を解決するための手段】
【００１５】
上記課題を達成するため本発明は、記録カードと接触して塵埃を除去するコンタクトローラと、このコンタクトローラ表面に付着した塵埃を除去するクリーニングローラとを、分離した状態で個別に回転軸方向に装着可能な装着口を装着フレームに設ける。
【００１６】
そして、クリーニングローラにはコンタクトローラからローラ表面を離間する操作部材と、コンタクトローラの装着口からの離間を阻止するカバー部材を設けると共に、装置フレームの装着口にコンタクトローラの非装着時にクリーニングローラの装着を阻止する遮閉部材を設けることによって、コンタクトローラ次いでクリーニングローラの順に装着し、クリーニングローラ次いでコンタクトローラの順に離脱することを特徴としている。
【００１７】
更に、その構成を詳述するに、記録カードを搬送する搬送経路と、搬送経路に配置され、記録カードの少なくとも片面と接触して塵埃を除去するコンタクトローラと、コンタクトローラに付着した塵埃を除去するクリーニングローラと、記コンタクトローラとクリーニングローラを互いに接触した状態に保持する装置フレームとを備える。
【００１８】
そして、コンタクトローラとクリーニングローラとは、それぞれ表面に粘着性を有するローラ体と、このローラ体と一体の回転軸で構成し、装置フレームには、コンタクトローラとクリーニングローラを分離した状態で個別に回転軸方向に着脱可能な装着口を設け、この装着口には、コンタクトローラの非装着時にクリーニングローラの装着を阻止する遮閉部材を設ける。
【００１９】
また、クリーニングローラには、装着口に装着された状態で、クリーニングローラ表面をコンタクトローラ表面から離間する操作部材と、コンタクトローラを装着口からの離脱するのを阻止するカバー部材を設けることによって装置フレームの装着口に、コンタクトローラ次いでクリーニングローラの順に装着し、クリーニングローラ次いでコンタクトローラの順に離脱することが可能となる。
【００２０】
上記装置フレームの装着口には、クリーニングローラの回転軸とは異なる支軸でクリーニングローラを軸支する軸承部と、クリーニングローラ表面をコンタクトローラ表面に接触させる圧接スプリングが設けられ、操作部材は、軸承部を中心に圧接スプリングに抗してクリーニングローラを揺動させることによってコンタクトローラ表面から離間させる。
【００２１】
上記操作部材とカバー部材とは、ロック姿勢と解除姿勢に位置移動可能な操作ハンドルで構成し、操作ハンドルは、ロック姿勢でコンタクトローラを装着口から離脱するのを阻止し、解除姿勢でクリーニングローラ表面をコンタクトローラ表面から離間するように構成する。
【００２２】
上記遮閉部材は、装着口にクリーニングローラの装着を阻止する係止位置と、クリーニングローラの装着を許容する解除位置との間で移動可能なカム部材で構成し、このカム部材は、コンタクトローラを装着口に装着する動作で係止位置から解除位置に移動する。
【００２３】
上記搬送経路を内蔵するハウジングと、ハウジングに設けられ、搬送経路を開閉する開閉カバーと、開閉カバーの閉止動作を禁止するインターロック部材とを備え。そして、インターロック部材は、操作部材が非装着状態のとき開閉カバーの閉止動作を禁止し、操作部材が装着状態のとき開閉カバーの閉止動作を許容するように構成する。
【００２４】
上記コンタクトローラは、記録媒体の表面と接触する第１ロールと、記録媒体の裏面と接触する第２ロールと、この第１ロールと第２ロールを一体に保持するホルダ部材とで構成し、クリーニングローラは第１ロールと接触するように装着口に装着する。
【００２５】
本発明に係わる情報記録装置は、記録カードに電子情報と画像情報を記録する装置であって、ハウジングと、記録カードを収納するカード収容部と、記録カードに電子情報を記録する情報記録部と、記録カードに画像情報を形成する画像記録部と、カード収容部から記録カードを記録部に向けて搬入するカード搬入経路と、カード搬入経路から送られた記録カードを画像記録部に移送する記録部搬送経路とを備える。そして、カード搬入経路にはクリーニング機構を設け、このクリーニング機構は上述の通り構成する。
【発明の効果】
【００２６】
本発明は、カードと接触するコンタクトローラと、その表面に付着した埃を除去するクリーニングローラとを分離した状態で個別に装着可能な装着口を装置フレームに設け、クリーニングローラ側にローラ相互を離間する操作部材と、コンタクトローラの装着口からの離脱を阻止するカバー部材を設ける。そして、装置フレームの装着口側にコンタクトローラの非装着時にクリーニングローラの装着を阻止する遮閉部材を設け、コンタクトローラ、クリーニングローラの順に装着し、その逆の順で離脱するようにしたものであるから以下の効果を奏する。
【００２７】
クリーニングローラは、装置に装着する際には、その前にコンタクトローラが装着されていなければ装着出来ないから、コンタクトローラの装着を忘れる恐れがなく、複数のローラを確実に装置に装着することが可能である。これと共に、クリーニングローラにローラ同士の粘接着を解除する操作部材が設けてあるから各ローラを簡単に装置に装着することが出来、その装着後にクリーニングローラとコンタクトローラを粘接着することが出来る。
【００２８】
また、各ローラユニットを装置から離脱する際には、クリーニングローラにコンタクトローラを装着口から離脱するのを阻止するカバー部材が設けてあるから、ローラ同士が粘接着した状態でコンタクトローラを引き出す恐れが無く、その誤操作によるローラ表面の破損を招くことがない。
【００２９】
更に、本発明にあって装置ハウジングにカード搬送経路を開閉する開閉カバーを設け、このカバーをクリーニングローラの操作部材が非接触状態の時には開閉禁止することによって開閉カバーが閉じられないときには、クリーニングローラと、コンタクトローラが装置内に装着されていないことを警告することが可能となる。
【図面の簡単な説明】
【００３０】
【図１】本発明に係わる情報記録装置の一実施形態を示す説明図。
【図２】カードクリーニング装置の各ローラを装着した状態を斜めから示す説明図。
【図３】カードクリーニング装置の各ローラを離脱した状態を斜めから示す説明図。
【図４】カードクリーニング装置のコンタクトローラを収納しているカートリッジを示す説明図。
【図５】カードクリーニング装置のクリーニングローラを収納しているカートリッジを示す説明図。
【図６】コンタクトローラとクリーニングローラとを取り外した状態を装置の正面から示す図。
【図７】コンタクトローラを装着した状態を装置の正面から示す図。
【図８】クリーニングローラを装着した状態を装置の正面から示す図。
【図９】装着したコンタクトローラとクリーニングローラとが更に接する状態を正面から示す図。
【図１０】インターロック部材の動作を示す説明図。
【発明を実施するための形態】
【００３１】
以下図示の好適な実施の形態に基づいて本発明を詳述する。図１は本発明に係わる情報記録装置１の全体構成の説明図である。図１の装置は各種証明用のＩＤカード、商取引用のクレジットカードなどに情報を記録する。このためハウジング２には、情報記録部Ａと画像形成部Ｂとカード供給部Ｃとが備えられる。情報記録部Ａは、磁気記録部２４と、非接触式ＩＣ記録ユニット２３と、接触式ＩＣ記録ユニット２７とで構成されている。この情報記録部Ａは装置仕様に応じて種々の記録部、例えばバーコード記録部などで構成する。
【００３２】
［カード供給部］
図１の装置におけるカード供給部Ｃの構成について説明する。図１の装置はカード供給部Ｃをカードカセット３で構成している。カードカセット３は、ボックス形状のカセット筐体３ａ（以下「筐体」という）と、この筐体内に設けられたカード収容部４で構成される。このカード収納部４は、複数の記録カード１０を立位姿勢で整列して収納可能なカード寸法に適合する収容スペースで構成されている。このカード収納部４には図示上方に記録カードを出し入れする開口部が設けられ、この開口部を開閉する開閉カバー３ｂがヒンジ連結されている。
【００３３】
上記カード収納部４は、一端（図示左端）から他端（右端）に記録カードを前後に整列して立位姿勢で収納するスペース形状に構成されており、左端から右端にサポート部材１２で繰り出される。このカードカセット３の先端には分離開口７が設けられ、ピックアップローラ１９で最前列の記録カードから装置内に供給される。
【００３４】
［情報記録部の構成］
図１に基づいて情報記録部Ａの構成を説明する。カード収納部４から情報記録部に導入される記録カードの搬送経路１５にはコンタクトローラ２２が配置されており、記録カードは、先ず、コンタクトローラ２２にて記録カード表面の塵埃が除去された後、反転ユニットＦに送られる。コンタクトローラ２２は、記録カードを挟持して送り出す際に記録カード表面と接して、表面の塵埃を除去する一対の第１ローラ２２ａと第２ローラ２２ｂとから成る。クリーニングローラＲｃは、第１ローラ２２ａの表面に付着した塵埃を取り除くよう、第１ローラ２２ａと接している。コンタクトローラ２２及びクリーニングローラＲｃは、交換あるいはメンテナンスの面で、装置から着脱自在なよう構成しているが、後に詳述する。
【００３５】
反転ユニットＦは、装置フレーム（不図示）に旋回動可能に軸受け支持されたユニットフレームと、このフレームに支持された一対、或いは複数のローラ対で構成される。図示のものは距離を隔てて前後に配置された２つのローラ対２０、２１をユニットフレームに回転自在に軸支持されている。そしてユニットフレームは旋回モータ（パルスモータなど）で所定角度方向に旋回動し、これに取付けられているローラ対は搬送モータで正逆転方向に回転するように構成されている。この駆動機構は図示しないが、例えば１つのパルスモータでユニットフレームの旋回動と、ローラ対の回転をクラッチで切り換えるように構成する。
【００３６】
このような構成の反転ユニットＦは、カードカセット３から送られた記録カードを所定角度方向に旋回することができる。そして、その旋回方向外周には、磁気記録ユニット２４と、非接触式ＩＣ記録ユニット２３及び接触式ＩＣ記録ユニット２７と、リジェクトスタッカ２５が配置されている。尚、図示２８はバーコードリーダであり、例えば後述する画像形成部Ｂで印刷したバーコードを読み取って正誤判別（エラー判別）するためのユニットである。以下これらの記録ユニットをデータ記録ユニットという。
【００３７】
従って反転ユニットＦで所定の角度方向に姿勢偏向された記録カードをローラ対２０、２１で記録ユニットに移送すると、記録カード上に磁気的若しくは電気的にデータ入力することが可能となる。またこれらのデータ入力ユニットで記録ミスが生じた場合にはリジェクトスタッカ２５に搬出する。
【００３８】
上記反転ユニットＦの下流側には画像形成部Ｂが設けられ、この画像形成部Ｂにカードカセット３から記録カードを移送する搬入経路Ｐ１が設けられ、この経路Ｐ１に前述の反転ユニットＦが配置されている。また、搬入経路Ｐ１には記録カードを搬送する搬送ローラ（ベルトでも良い）２９、３０が配置され、図示しない搬送モータに連結されている。この搬送ローラ２９、３０は正逆転切り換え可能に構成され、反転ユニットＦから画像形成部Ｂに記録カードを搬送するのと同時に画像形成部Ｂから記録カードを反転ユニットＦに搬送するようになっている。
【００３９】
上記画像形成部Ｂの下流側には収容スタッカ６０に記録カードを移送する搬出経路Ｐ２が設けられている。搬出経路Ｐ２には記録カードを搬送する搬送ローラ（ベルトでも良い）３７、３８が配置され、図示しない搬送モータに連結されている。
【００４０】
尚、搬送ローラ３７と搬送ローラ３８の間にはディカールローラ３６が配置され、搬送ローラ３７、３８間に保持された記録カードの中央部を押圧することによって、熱転写により生じたカールを矯正する。このためディカールローラ３６は図示しない昇降機構で図１上下方向に位置移動可能に構成されている。
【００４１】
「画像形成部」
画像形成部Ｂは、記録カードの表裏面に顔写真、文字データなど画像を形成する。図示の装置は昇華型インクリボンで画像形成する場合を示している。
【００４２】
画像形成部Ｂにはサーマルヘッド４０とインクリボン４１が配置されている。インクリボン４１はカートリッジ４２に収納され、このカートリッジ４２に操出ロール４３と巻取ロール４４が収容され、巻取ロール４４には図示しないワインドモータＭｒ１が連結されている。
【００４３】
そしてプラテンローラ４５に対向する位置にサーマルヘッド４０が配置されている。このサーマルヘッド４０は、ヘッドコントロール用ＩＣ（図示せず）により熱制御される。そして、このヘッドコントロール用ＩＣは、画像データに従ってサーマルヘッド４０を加熱制御することにより、インクリボン４１を後述する転写フィルム４６に画像形成する。このためサーマルヘッド４０の熱制御と同期して巻取ロール４４が回転し、インクリボン４１を所定速度で巻き取るように構成されている。
【００４４】
上記転写フィルム４６は巻取ロール４７と操出ロール４８に巻回され、この転写フィルム４６はプラテンローラ３１とヒートローラ３３に転写画像を移送するように巻装されている。図示４９は転写フィルム４６の移送ローラであり、その周面にピンチローラ３２ａと３２ｂが配置され、この移送ローラ４９には図示しない駆動モータに連結されている。そして転写フィルム４６は、インクリボン４１と同一速度で図１反時計方向に移動する。
【００４５】
またヒートローラ３３には、搬入経路Ｐ１に配置されているプラテンローラ３１に転写フィルム４６を介して圧接離間するように昇降機構（不図示）が設けられている。このヒートローラ３３は加熱ローラで構成され、内部に配置されている加熱手段で転写フィルム４６上の画像を記録カード表面に転写する。尚、図示Ｓｅ１はインクリボン４１の位置検出センサであり、図示Ｓｅ２は転写フィルム４６の有無検出センサである。尚、画像形成部Ｂには装置内に発生した熱を外に出す為のファンｆ２が設けられている。
【００４６】
「収容部」
収容部Ｄは図１に示すように画像形成部Ｂから送られた記録カードを収容スタッカ５５に収容するように構成されている。この収容スタッカ５５は図示しない昇降機構５６とレベルセンサで、最上記録カードを検出し、昇降機構６１で図１下側に下降移動するように構成されている。
【００４７】
上記した本発明に係わる情報記録装置１の全体構成の中で、コンタクトローラ２２及びクリーニングローラＲｃの交換あるいはメンテナンスのために、装置から着脱自在にした構成について説明する。
【００４８】
図２及び図３は、情報記録装置１のコンタクトローラ２２及びクリーニングローラＲｃ及びその周辺を斜視図にて示すもので、図２はクリーニングローラＲｃとコンタクトローラ２２を装置フレーム６０に装着している状態、図３はこれらローラを装置フレーム６０から取り外した状態をそれぞれ示している。この装置フレーム６０には、コンタクトローラ２２とクリーニングローラＲｃを分離した状態で個別に回転軸方向に着脱可能な装着口７４が形成されている。
【００４９】
本実施形態においては、コンタクトローラ２２とクリーニングローラＲｃは、それぞれホルダ部材に収納されて、カートリッジ形式によりホルダ部材毎に装置より着脱可能となっている。コンタクトローラ２２の一対のローラ２２ａ及びローラ２２ｂと一緒に保持するホルダ部材はカートリッジ６３（第４図示）を構成している。一方、カートリッジ６４（第５図示）はクリーニングローラＲｃを収納している。そして、カートリッジ６４のホルダ部材には、後に明らかとなる操作ハンドル７０を形成している。
【００５０】
コンタクトローラ２２とクリーニングローラＲｃは、それぞれ表面に粘着性を有するローラ体と、このローラ体と一体の回転軸で構成されている。
【００５１】
一対のコンタクトローラ２２は、ローラ２２ｂが駆動ローラ、ローラ２２ａが従動ローラである。カード収納部４から供給される記録カードは、一対のコンタクトローラ２２に挟持されて搬送経路１５を通して反転ユニットＦに送られる間、その表面に付着している塵埃が除去される。
【００５２】
コンタクトローラ２２のローラ２２ａと表面同士が接触しているクリーニングローラＲｃは、コンタクトローラ２２に連動して回転することにより、コンタクトローラ２２が記録カードの表面から除去して自身の表面に付着している塵埃を除去する。従って、これら３通りのローラ表面の粘度は図示の右側から左側のローラにかけて高くなるように設定しており、すなわちクリーニングローラＲｃの粘度が一番高い。
【００５３】
コンタクトローラ２２及びクリーニングローラＲｃは、それぞれが収納されているカートリッジ６３、６４ごとに、交換やメンテナンスの目的で装置フレーム６０から取り出せるようになっている。
【００５４】
クリーニングローラＲｃを収納するカートリッジ６４には、装置フレーム６０の装着口７４に装着された状態で、ローラ表面をコンタクトローラ２２から離間させるための操作部材６１と、コンタクトローラの装着口７４からの離間を阻止するカバー部材６２が設けられており、操作部材６１とカバー部材６２は一体で操作ハンドル７０を構成している。
【００５５】
そして、カートリッジ６４には、クリーニングローラＲｃの回転軸６５とは異なる支軸６６が設けられており、装置フレーム６０の装着口７４の軸承部８５に支持されて、操作ハンドル７０の操作により、ロック姿勢位置と解除姿勢位置に移動可能となっている。操作ハンドル７０がロック姿勢にあると、コンタクトローラ２２を収納したカートリッジ６３が装着口７４から離脱するのを阻止し、操作ハンドル７０が解除姿勢にあると、クリーニングローラＲｃの表面をコンタクトローラ２２の表面から離間させて、カートリッジ６４が装着口７４より引き出せる状態となる。
【００５６】
また、装置フレーム６０には、クリーニングローラＲｃの表面をコンタクトローラ２２の表面に接触させる圧接スプリング７６が設けられており、操作部材６１を操作して、カートリッジ６４を、支軸６６を中心に圧接スプリング７６に抗して揺動させることで、クリーニングローラＲｃをコンタクトローラ２２の表面から離間させることできる。
【００５７】
遮閉部材６７は、コンタクトローラ２２を収納したカートリッジ６３が装置フレーム６０へ装着されていないと、クリーニングローラＲｃを収納したカートリッジ６４が装置フレーム６０へ挿入されるのを阻止するよう設けられている。この遮閉部材６７は、装置フレーム６０の軸６８に搖動自在に支持されると共に、カム部材６９を具備しており、カートリッジ６３が挿入されていないときは、カートリッジ６４（クリーニングローラＲｃ）の装着を阻止するよう係止位置にバネ（図示せず）により付勢されているが、装着口７４にカートリッジ６３が挿入されて、カートリッジ６３とカム部材６９とが接触すると搖動して、カートリッジ６４の装着を許容する解除位置となる。
【００５８】
図１０において、インターロック部材７１は、装置フレーム６０に回動自在に軸８１に軸止されており、カートリッジ６４が挿入されていないとき（図６、図７）及びカートリッジ６４が挿入されて、且つ操作ハンドル７０が解除姿勢にあるとき（図８参照）はバネ７２に付勢されて、装置フレーム６０の前面に形成した装着口７４を塞ぐ位置にある。この状態では、装置フレーム６０の前面を開閉する開閉カバー７５に形成したピン８２が開口８３に挿入されず、開閉カバー７５は装置フレーム６０の前面を閉止できない。
【００５９】
一方、カートリッジ６４が装着口７４に挿入されて、且つ操作ハンドル７０がロック姿勢にあると（図９参照）、インターロック部材７１はカートリッジ６４に押されてバネ７２に抗して回動するために、装置フレーム６０の前面に形成した開口８３が現れ、開閉カバー７５のピン８２が開口８３に挿入でき、開閉カバー７５は装置フレーム６０の前面を閉止することが出来る。
【００６０】
上記構成の遮閉部材６７、操作ハンドル７０、インターロック部材７１の動作を図６から図９までに基づき説明する。
【００６１】
図６は、カートリッジ６３及びカートリッジ６４が非装着の状態を示しており、遮閉部材６７はカートリッジ６４（クリーニングローラＲｃ）の装着口７４への装着を阻止する係止位置にバネ付勢されている。一方、カートリッジ６３は装着可能な状態となっている。また、インターロック部材７１もバネ７２に付勢されて、開口８３を覆う位置にある。
【００６２】
図６の状態からカートリッジ６３を挿入した図７の状態では、カートリッジ６３とカム部材６９との当接により遮閉部材６７は下方に搖動して、の装着口７４から退避してカートリッジ６４装着を許容する解除位置となる。これにより、コンタクトローラ２２とクリーニングローラＲｃを装着する場合は、コンタクトローラ２２次いでクリーニングローラＲｃの順となる。
【００６３】
そして、図８はカートリッジ６４を装着口７４に挿入した状態であるが、カートリッジ６４に形成されている操作ハンドル７０はこの状態では解除姿勢にあり、クリーニングローラＲｃの表面とコンタクトローラ２２の表面とは離間している。
【００６４】
図８の状態で、操作ハンドル７０を軸６６（第５図示）を支点に下方に回動させて図９の状態となると、クリーニングローラＲｃの表面とコンタクトローラ２２の表面とが接して、記録カードのクリーニング動作が可能となる。このとき、操作ハンドル７０の下方への回動により、遮閉部材６７によりカートリッジ６３の引出側は覆われて、装置フレーム６０から取り出すことが出来なくなる。そして、インターロック部材７１はカートリッジ６４に押されて回動し、装置フレーム６０の前面の開口８３が現れ、開閉カバー７５を閉じればピン８２が開口８３に挿入して装置フレーム６０の前面を閉止することが出来る。
【００６５】
以上はコンタクトローラ２２とクリーニングローラＲｃを装着する場合の動作説明であるが、これらローラを装置フレーム６０から取り出すときは、逆に図９の状態からの動作となる。すなわち、操作ハンドル７０を操作して上方に回動させて、クリーニングローラＲｃの表面とコンタクトローラ２２の表面とを離間させた図８の状態の後、カートリッジ６４を引き出すことで遮閉部材６７による閉塞が解除され、これによりカートリッジ６３を引き出せる。従って、コンタクトローラ２２とクリーニングローラＲｃを引き出す場合は、クリーニングローラ２２次いでコンタクトローラＲｃの順となる。
【００６６】
このように、本発明によれば、それぞれ表面が粘着性を有するコンタクトローラ２２とクリーニングローラＲｃを個別に装置内に着脱するときに、装着する場合には、遮閉部材６７の作用によりコンタクトローラ２２次いでクリーニングローラＲｃの順でなければ装着できず、離脱する場合には、操作ハンドル７０の作用により両ローラが確実に離間させ、且つカバー部材６２によりクリーニングローラ２２次いでコンタクトローラＲｃの順でなければ脱着できないようになっている。従って、クリーニングローラ２２及びコンタクトローラＲｃを個別に確実に着脱することができる。
【００６７】
しかも、操作ハンドル７０の操作によりコンタクトローラ２２とクリーニングローラＲｃとを接触させないと、開閉カバー７５が閉止できないようにしたことで、クリーニングローラＲｃの装着忘れや、コンタクトローラ２２とクリーニングローラＲｃとが離脱した状態で装置が再起動するようなことが防止される。
【００６８】
尚、本発明は上記実施形態に限定されるものではなく、本発明の趣旨に基づき種々の変形が可能であり、これらを本発明の範囲から排除するものではない。
【産業上の利用可能性】
【００６９】
本発明は、プラスチックカード、厚紙カードなどの記録媒体に電子情報或いは画像情報を記録する情報記録装置に係わり、記録カード表面に付着した塵埃を記録処理する前に除去するクリーニング機構のメンテナンス性を向上させたものであり、産業上の利用可能性を有する。
【符号の説明】
【００７０】
１          記録カード
２          ハウジング
３          搬送経路
２２        コンタクトローラ
２２ａ      第１ローラ
２２ｂ      第２ローラ
６０        装置フレーム
６１        操作部材
６２        カバー部材
６３        ホルダ部材（カートリッジ）
６７        遮閉部材
６９        カム部材
７１        インターロック部材
７４        装着口
７５        開閉カバー
７６        圧接スプリング
Ｒｃ        クリーニングローラ
【図１】
0005797396.tif 000002
【図２】
0005797396.tif 000003
【図３】
0005797396.tif 000004
【図４】
0005797396.tif 000005
【図５】
0005797396.tif 000006
【図６】
0005797396.tif 000007
【図７】
0005797396.tif 000008
【図８】
0005797396.tif 000009
【図９】
0005797396.tif 000010
【図１０】
0005797396.tif 000011